(57)【要約】【課題】容量の小さいメモリにデータを格納するのを効率的に行って、複数の記録層を有する光ディスクに対し、ストリームデータの連続記録を可能とする。【解決手段】複数の記録層の開始及び終了を示す情報が予め形成された光ディスク１に、複数の記録層にまたがって、データを連続記録する光ディスク記録方法であって、所定の記録層に記録している間は、入力する記録データを第１のメモリ１１に入力すると共にスルー出力記録させ、記録層を切換えるためのビームスポットが移動している間に入力する記録データを第２のメモリ１２に入力保持し、次の記録層に第１のメモリ１１からのデータを記録するが、第１のメモリ１１のデータ量が所定量以下になったら、データを出力せずに保持し、第２のメモリ１２からデータを出力して記録する。【選択図】      図１
2005011416.tif 000002
【特許請求の範囲】
【請求項１】
複数の記録層を有すると共に、各前記記録層の記録開始及び記録終了位置を示す情報が所定の位置に形成された光ディスクに、前記複数の記録層の内の第１の記録層から第２の記録層にまたがって、記録データを連続記録するために、前記複数の記録層に前記記録データを記録するピックアップを前記光ディスクの半径方向に移送する移送手段と、外部からの制御により、入力される前記記録データをスルー出力する機能と入力された前記記録データを保持して出力する機能とを有する第１及び第２のメモリと、前記第１のメモリに保持されている前記記録データのデータ量を検出するデータ量検出手段と、前記第１及び第２のメモリに対するそれぞれの入出力制御を行う制御手段とを有する光ディスク記録装置に用いられる光ディスク記録方法であって、
前記第１の記録層の記録終了位置に、前記ピックアップが到来するまでの間は、前記第１のメモリに前記記録データを入力すると共にスルー出力して記録する第１のステップと、
前記第１の記録層の記録終了位置に前記ピックアップが到来した時点から前記第２の記録層への記録開始位置に前記ピックアップが移送されるまでの間は、前記第１のメモリを通過して前記記録データを前記第２のメモリに入力して保持する第２のステップと、
前記ピックアップが前記第２の記録層の記録開始位置に到達した以降は、前記第２のメモリに保持されている前記記録データ量に対応した記録領域を確保すると共に、その確保した前記記録領域の直後から、前記第１のメモリに前記記録データを入力すると共に、スルー出力して、記録する第３のステップと、
前記第１のメモリに保持されている前記記録データのデータ量が所定値よりも少なくなった時には、前記第１のメモリに入力される前記記録データを保持すると共に、スルー出力を停止し、前記第２のステップにおいて前記第２のメモリに保持した前記記録データを前記確保した記録領域に記録する第４のステップとを有することを特徴とする光ディスク記録方法。
【発明の詳細な説明】
【０００１】
【発明の属する技術分野】
本発明は、光ディスク記録方法に係り、特に、複数の記録再生層を有する光ディスクに対して、ＡＶ（映像、音楽）等の情報を連続的に記録するのに好適な光ディスク記録方法に関するものである。
【０００２】
現在、光ディスクは、再生専用型、記録再生型を含めて、広範に普及している。また、さらに、一層の、情報の記録容量の向上が求められ、種々の試みがなされている。
その中で、光ディスクの記録容量を増加する技術の一つとして、１枚の光ディスクに複数の記録（再生）層を設けることが考えられている（例えば、特許文献１参照。）。
【０００３】
複数の記録層、例えば２つの記録層を基板の両面側に設けた、所謂２層の光ディスクに対しては、光ディスクの両面側に光ピックアップ（以下、単にピックアップともいう）を配置して、それぞれの記録層に対して記録再生を行う光ディスク記録装置が考えられる。この光ディスク記録装置は、２つのピックアップを持つことで、装置の複雑化や、大型化、コスト高をまねく等の難点が多い。従って、光ディスクの片面側に配置する単一のピックアップによって記録再生を行えることが望ましい。
【０００４】
単一のピックアップで記録再生を行う場合、複数の記録層それぞれに対する記録再生動作の他に、ある記録層から別の記録層へ記録再生領域を移動することが必要となる。特に映像や音楽などのＡＶ用途で、情報の連続記録が必要な場合には、ある記録層への記録が終了すると、次に、ピックアップから放射される光ビームを次に記録すべき記録層の所定のトラック位置に瞬時に移動すると共に、光ビームの焦点移動を瞬時に行って、再び記録動作に移れるようにすることが必須である。
【０００５】
これを可能とするものとして、以下の光ディスク装置が開示されている（例えば、特許文献２参照。）。
これによれば、光ビームの焦点移動であるフォーカスジャンプと、記録すべきトラックへのトラックジャンプの順序を状況に応じて選択することによって、現在アクセスしている層とは異なる層の所定のトラック位置に迅速且つ正確に光スポットを移動させることができる。
【０００６】
しかし、この光ディスク装置において、記録層間の移動中に入力されるデータの記録をできないという問題がある。この問題に関しては、本出願人により、記録層移動の間の入力データをメモリに格納しておき、層移動後にメモリ内のデータを順に記録を再開するという提案および層移動の間の入力データをメモリに格納し、連続記録終了後に所定の領域にメモリ内のデータを記録するという提案を行っている（特願２００２−３３６１４５）。
【０００７】
【特許文献１】
特開平８−２１２５６１号公報（第３−４頁、第１−２図）
【特許文献２】
特開平１０−１４３８７３号公報（第９−１４頁、第１−１２図）
【０００８】
【発明が解決しようとする課題】
ところで、層間移動中のデータを格納するメモリを有する光ディスク装置においては、読み込んだデータをメモリに格納する速度（レート）とメモリからデータを読出し（出力し）、記録層に記録する速度（レート）は、一般的に異なる。前者より後者のレートを大きく設定する。
【０００９】
ここでは、層移動後に、メモリ内に格納されたデータを順次記録層に記録していく。次の記録層への記録再開直後には、メモリ内は、データが満たされた状態になっている。記録中は、メモリから格納されたデータが出力され記録されると共に、メモリにデータが入力され格納されるが、格納レートと記録レートが異なるので、記録が進むにつれて、メモリ内のデータ量は徐々に減少する。
【００１０】
しかし、記録再開直後で、メモリにデータが満たされた状況において、サーボエラーなどでトラック飛びが発生した場合には、これを回復して、記録再開を行うまでの間、データがメモリに入力されつづけるので、メモリ容量を大きくしておかないと、データが溢れ、溢れたデータが消失するという問題がある。
【００１１】
また層移動中の入力データをメモリに格納しておき、連続記録が終了した時点でメモリ内のデータを所定の領域に記録する場合は、前述の問題は起きないが、記録が終わるまでデータを保持するので、特に３以上の複数の記録層を有する光ディスクに、データを連続記録する場合には、層移動の回数分だけその間のデータを保持する、やはり大きな容量のメモリ或いは記録層数に対応する複数のメモリが必要となり、装置のコストが高くなるという問題がある。
【００１２】
そこで本発明は、上記問題を解決して、光ディスク記録方法において、容量の小さいメモリにデータを格納するのを効率的に行って、複数の記録層を有する光ディスクに対し、光ビームスポットの層移動の間に取り込まれるストリームデータの連続記録を可能とするコストの安価な光ディスク記録方法を提供することを目的とするものである。
【００１３】
【課題を解決するための手段】
上記目的を達成するための手段として、本発明は、複数の記録層を有すると共に、各前記記録層の記録開始及び記録終了位置を示す情報が所定の位置に形成された光ディスク１に、前記複数の記録層の内の第１の記録層から第２の記録層にまたがって、記録データを連続記録するために、前記複数の記録層に前記記録データを記録するピックアップ（光ピックアップ３）を前記光ディスク１の半径方向に移送する移送手段（駆動手段４）と、外部からの制御により、入力される前記記録データをスルー出力する機能と入力された前記記録データを保持して出力する機能とを有する第１及び第２のメモリ（記憶回路１１、１２）と、前記第１のメモリ（記憶回路１１）に保持されている前記記録データのデータ量を検出するデータ量検出手段（バッファデータ量検出回路１３）と、前記第１及び第２のメモリ（記憶回路１１、１２）に対するそれぞれの入出力制御を行う制御手段（バッファ出力切換え回路８、データ出力切換え回路１４）とを有する光ディスク記録装置に用いられる光ディスク記録方法であって、
前記第１の記録層の記録終了位置に、前記ピックアップ（光ピックアップ３）が到来するまでの間は、前記第１のメモリ（記憶回路１１）に前記記録データを入力すると共にスルー出力して記録する第１のステップと、
前記第１の記録層の記録終了位置に前記ピックアップ（光ピックアップ３）が到来した時点から前記第２の記録層への記録開始位置に前記ピックアップ（光ピックアップ３）が移送されるまでの間は、前記第１のメモリ（記憶回路１１）を通過して前記記録データを前記第２のメモリ（記憶回路１２）に入力して保持する第２のステップと、
前記ピックアップ（光ピックアップ３）が前記第２の記録層の記録開始位置に到達した以降は、前記第２のメモリ（記憶回路１２）に保持されている前記記録データ量に対応した記録領域を確保すると共に、その確保した前記記録領域の直後から、前記第１のメモリに前記記録データを入力すると共に、スルー出力して、記録する第３のステップと、
前記第１のメモリ（記憶回路１１）に保持されている前記記録データのデータ量が所定値よりも少なくなった時には、前記第１のメモリ（記憶回路１１）に入力される前記記録データを保持すると共に、スルー出力を停止し、前記第２のステップにおいて前記第２のメモリに保持した前記記録データを前記確保した記録領域に記録する第４のステップとを有することを特徴とする光ディスク記録方法である。
【００１４】
【発明の実施の形態】
以下、本発明の実施の形態につき、好ましい実施例により、図面を参照して説明する。
＜実施例＞
図１は、本発明の光ディスク記録方法に係る光ディスク記録装置の実施例を示すブロック構成図である。
図２は、図１に示す光ディスク記録装置における記憶回路の動作を説明するための図である。
【００１５】
以下、本発明の係る光ディスク記録装置１０を説明するが、説明の簡略のため、本発明に係る要部以外は、通常の光ディスク記録装置に必要な部分であっても良く知られているのでその説明を省略してある。
【００１６】
まず、光ディスク装置１０の構成を説明する。
図１に示すように、本実施例の光ディスク記録装置１０は、少なくとも、回転駆動系２、１個の光ピックアップ（ＰＵ）３、駆動系、サーボ系制御回路５、切換えタイミング検出回路６、ＬＤ駆動回路７、バッファ出力切換え回路８、記録系制御回路９、第１の記憶回路（以下、データバッファともいう）１１、第２の記憶回路（以下、メモリともいう）１２、バッファデータ量検出回路１３及びデータ出力切換え回路１４とを有する。
【００１７】
回転駆動系２には、複数の記録層を有する光ディスク１が装着され、所定の回転駆動が行われる。
光ピックアップ（ＰＵ）３は、駆動系４上に配置され、情報により変調したレーザビームを記録層に放射する。
駆動系４は、ピックアップ（ＰＵ）３を光ディスク１の半径方向に移動制御して、レーザビームスポットを記録層の所定トラック位置に移動すると共に、光ディスク１の面高さ方向に移動してそのトラック位置での焦点合わせを行う。
【００１８】
回転駆動系２及び駆動系４はサーボ系制御回路５によってそれらの動作を制御されている。
切換えタイミング検出回路６は、光ピックアップ（ＰＵ）３により検出されるトラックからの再生信号（ウオブル信号）より、所定の記録層への記録終了（別の記録層への切換えタイミング）を検出し、サーボ系制御回路５及びバッファ出力切換え回路８へ切換えタイミング信号を出力する。
バッファ出力切換え回路８は、切換えタイミング信号に応じて、バッファ出力切換え信号を第１の記憶回路１１に出力する。
【００１９】
第１の記憶回路（以下、データバッファともいう。）１１には、映像音声等の連続するストリームデータが入力される。第１の記憶回路１１は、バッファ出力切換え回路８からのバッファ出力切換え信号及びデータ出力切換え回路１４からのデータ出力切換え信号により、後述するようなやり方で、ストリームデータを記憶（格納）したり、第２の記憶回路１２に出力したり、記録系制御回路９に出力したりする。
第２の記憶回路（以下、単にメモリともいう。）１２は第１の記憶回路１１からのストリームデータを記憶（格納）し、データ出力切換え信号により、そのストリームデータを記録系制御回路９に出力する。
【００２０】
記録系制御回路９は、入力されるストリームデータを変調して記録すべき記録信号に変換して、ＬＤ駆動回路７に出力する。
ＬＤ駆動回路７は記録信号に対応して、ピックアップ（ＰＵ）３のレーザ素子（ＬＤ）を駆動し、ＬＤよりレーザ光パルスを放射させる。
切換えは第１の記憶回路１１に入力される。
【００２１】
次に、光ディスク記録装置１０の動作を、図２も参照しながら説明する。
なお、同図において，斜線部は記録データを示す。
まず、図２の（ａ）に示すように、ストリームデータが光ディスク記録装置１０に入力されると、第１の記憶回路１１に格納され、先入れ先出しで記録系制御回路９へ出力される。このとき、予め所定の量のデータを第１の記憶回路１１に格納してから、最初の記録層への記録を始める。
【００２２】
次に、図２の（ｂ）に示すように、ストリームデータの記録中に、最初の記録層の記録領域すべてを使い切ると、切り替えタイミング検出回路６は、記録層の切り替えフラグ（予めウォブルに重畳されている）、或いは予め読み込まれてある記録領域終了アドレス情報等により、記録層切り替えのための切換えタイミング信号を得る。また層移動完了後、記録すべき記録層のトラックのアドレス情報等により記録開始タイミングを得る。切換えタイミング信号を受けたサーボ系制御回路５は、ピックアップ（ＰＵ）３からの光ビームスポットを次に記録すべき記録層の所定の記録トラックに合わせるために、駆動系４を制御して光ピックアップ３を調節する。またスピンドルモータからなる回転駆動系を調節して光ディスク１の回転制御を行う。
【００２３】
切換えタイミング信号を受けたバッファ出力回路８は第１の記憶回路１１に制御信号（バッファ出力切換え信号：第２の記憶回路１２に出力する）を送り、初めの記録層の記録が終了した時点以後は、第１の記憶回路１１に入力されるストリームデータを先入れ先出しで第２の記憶回路１２に出力し、第２の記憶回路１２に記憶するようにする。これは、切換えタイミング信号を得てから記録開始タイミングまでの間、すなわち、最初の記録層への記録終了から次の記録層への記録が開始されるまで継続される。
【００２４】
次に、図２の（ｃ）に示されるように、次の記録層への記録開始タイミングになると、バッファ出力切換え回路８は、第１の記憶回路１１に制御信号（バッファ出力切換え信号：記録系制御回路９に出力する）を送る。第１の記憶回路１１は、この制御信号により、格納されているストリームデータを先入れ先出しで記録系制御回路９へ出力する。第２の記憶回路１２に記憶されたストリームデータは保持される。
【００２５】
次に、図２の（ｄ）に示すように、このように、次の記録層に記録が行われている間、バッファデータ量検出回路１３は、第１の記憶回路１１に格納されているデータ量を検出している。第１の記憶回路１１中のデータ量は記録が進むにつれて、減少してくる（データが入力されるレートより出力されるレートが高い。）。
データ量が、空に近い第一の所定量（例えば、全容量の５−２０％程度等、容量による）以下に達すると、バッファデータ量検出回路１３は、第１の記憶回路１１からの記録系制御回路９へのデータ出力を止め、第２の記憶回路１２からデータを出力するように、データ出力検出回路１４に制御信号を送る。データ出力切換え回路１４は、第１の記憶回路１１からのデータの出力を止め、第２の記憶回路１２に保持されているデータを、記録制御回路９へ出力させる。第１の記憶回路１１には、入力するストリームデータが蓄積される。
【００２６】
第１の記憶回路１１のデータ量が満量に近い第二の所定量（例えば、全容量の８０−９５％程度等、容量による）に達した場合、バッファデータ量検出回路１３は、第２の記憶回路１２からの記録系制御回路９への出力を止め、第１の記憶回路１１よりデータを出力するようにデータ出力切換え回路１４に制御信号を送る。データ出力切換え回路１４は、第２の記憶回路１２からのデータの出力を止め、第１の記憶回路１１に保持されているデータを、記録制御回路９へ出力させる。
【００２７】
第１の記憶回路１１のデータ量が再び空に近い第一の所定量以下の達すると、前述と同様の手順により第２の記憶回路１２からのデータ出力に切り替えられる。この動作は第２の記憶回路に保持されたデータがすべて出力されるまで繰り返され、この層への記録が終了して次の記録層へ移動する時には第２の記憶回路は空になっている。
【００２８】
記録系制御回路９に出力されたストリームデータは、記録信号に変調されて、ＬＤ駆動回路７でレーザ光発光用に変換され、光ピックアップ３から記録用のレーザ光パルスとなって放射され、記録層に記録が行われる。なお、データ量は常に計測されているので、記録の際には、記録されるべきアドレスにデータは正しく記録される。
【００２９】
以上説明したように、ストリームデータを複数の記録層に亘って連続して記録する場合に、サーボエラーやディフェクトの影響などによるトラック飛びが起きた時のデータの消失がおきないようにバッファに余裕を持たせることが必要なのであるが、本実施例に示すように、データを記憶するバッファとして用いる記憶回路（バッファ）１１内のデータ量を計測し、第１の記憶回路１１の空き容量が大きいときには、記録層切切換え時のデータを保存する場所である記憶回路（メモリ）１２に格納してあるデータの記録を行い、第１の記憶回路１１の空きが少なくなると第２の記憶回路１２からの出力を停止し第１の記憶回路１１からの通常の記録を再開する方法が有効である。
【００３０】
また、本実施例のように、記録層切換え後の通常記録の間に、第２の記憶回路１２内のデータをすべて所定の領域に記録してしまうので、次の記録層切換え時に、再び第２の記憶回路１２を切換え時のデータ保存用に使用でき、特に３以上の複数の記録層を有する光ディスクにストリームデータを連続記録する場合に、このような第２の記憶回路１２を多数用意する必要がなく、安価に構成した光ディスク記録装置において、連続記録可能な光ディスク記録方法を提供できる。
【００３１】
なお、第２の記憶回路１２に保持され、第１の記憶回路１１内のデータ量によって決められたタイミングで出力されて、光ディスクに記録されるデータは、この部分と前後するデータとは切り離された形になるが、記録層移動時に第２の記憶回路１２に保持されるデータ量、あるいは保存可能なデータ容量は予め分かるので、そのデータを記録する領域を、切換る前の記録層の最後、又は切換る後の記録層の先頭に設けておくようなディスクフォーマットにすることにより、ストリームデータの連続再生可能な記録ができる。
【００３２】
もしくは、サーボ系制御回路５が記録層切換え時に、そのデータのデータ量分の領域を空けておくように所定量だけ進んだアドレス位置に光ビームスポットを移動するようにして、ストリームデータ記録終了後に、空き領域に戻ってそこに、第２の記憶回路１２に保持したデータの記録を行うことによって、本来の連続するデータの並び順を保持できるので、映像や音楽等のデータを途切れることなく連続再生することが可能となる。
【００３３】
【発明の効果】
以上説明したように本発明は請求項１記載によれば、多記録層の光ディスクに対して記録を行う際、光ビームスポットの層移動時間にも途切れることなく取り込まれるデータを第１及び第２の記憶回路に保存し、層移動完了後、第１の記憶回路の記憶を読み取りながら２つの記憶手段を切り替えてデータを出力し所定の領域に記録を行うことにより、必要な記憶回路の容量、コストを最小限に抑えた上で、映像、音楽等のデータの長時間連続記録容易に行うことのできる光ディスク記録方法を提供できるという効果がある。
【図面の簡単な説明】
【図１】本発明の光ディスク記録方法に係る光ディスク記録装置の実施例を示すブロック構成図である。
【図２】図１に示す光ディスク記録装置における記憶回路の動作を説明するための図である。
【符号の説明】
１…光ディスク、２…回転駆動系、３…光ピックアップ、４…駆動系、５…サーボ系制御回路、６…切換えタイミング検出回路、７…ＬＤ駆動回路、８…バッファ出力切換え回路、９…記録系制御回路、１０…光ディスク記録装置、１１…第１の記憶回路、１２…第２の記憶回路、１３バッファデータ量検出回路、１４…データ出力検出回路。
【図１】
2005011416.tif 000003
【図２】
2005011416.tif 000004